(57)【特許請求の範囲】
【請求項１】
１枚の用紙を折り畳んでなる冊子状送付物であって、
前記用紙には、
前記用紙を上下に二分割する左右方向折り込み線と、
前記左右方向折り込み線に交差し、
前記用紙を左右に四分割以上の偶数に分割する上下方向折り込み線が形成され
８個以上の区画に区画されており、
前記左右方向折り込み線上において上側の左右両端区画間、及び下側の左右両端区画間に挟まれた上側区画と下側区画が接する部分にそれぞれ切込が設けられており、
上側の左右両端の一方の区画または下側の左右両端の一方の区画のいずれか１つの区画のみに、当該１つの区画を囲む４辺のうち左右方向で隣接する区画がない左辺または右辺のいずれか１辺のみから左右方向の外方に向かって糊代フラップが延設され、前記糊代フラップが、前記糊代フラップが延設された区画に左右方向で隣接する区画と接着されており、
前記糊代フラップが延設された区画、前記糊代フラップが延設された区画に左右方向で隣接する区画、前記糊代フラップが延設された区画に上下方向で隣接する区画、および前記糊代フラップが延設された区画に斜め方向で隣接する区画の左右方向の寸法が同じでその長さをＸ、それ以外の区画の左右方向の寸法が同じでその長さをＹとしたとき、Ｘ＞Ｙなる関係を満足する
ことを特徴とする冊子状送付物。
【請求項２】
１枚の用紙を折り畳んでなる冊子状送付物であって、
前記用紙には、
前記用紙を上下に二分割する左右方向折り込み線と、
前記左右方向折り込み線に交差し、
前記用紙を左右に四分割する上下方向折り込み線が形成され
８区画に区画されており、
前記左右方向折り込み線上において上側の左右両端区画間、及び下側の左右両端区画間に挟まれた上側区画と下側区画が接する部分にそれぞれ切込が設けられており、
上側の左右両端の一方の区画または下側の左右両端の一方の区画のいずれか１つの区画のみに、当該１つの区画を囲む４辺のうち左右方向で隣接する区画がない左辺または右辺のいずれか１辺のみから左右方向の外方に向かって糊代フラップが延設され、前記糊代フラップが、前記糊代フラップが延設された区画に左右方向で隣接する区画と接着されており、
下側の左右方向の区画が、糊代フラップ側より第１頁、第８頁、第７頁、第６頁の順に配置され、上側の左右方向の区画が、糊代フラップ側より第２頁、第３頁、第４頁、第５頁の順に配置されており、
前記糊代フラップが、前記第１頁の左右方向の外方に向かって延設されており、
第１頁、第２頁、第３頁および第８頁の左右方向の寸法が同じでその長さをＸ、第４頁、第５頁、第６頁および第７頁の左右方向の寸法が同じでその長さをＹとしたとき、Ｘ＞Ｙなる関係を満足する
ことを特徴とする冊子状送付物。
【請求項３】
１枚の用紙を折り畳んでなる冊子状送付物であって、
前記用紙には、
前記用紙を上下に二分割する左右方向折り込み線と、
前記左右方向折り込み線に交差し、
前記用紙を左右に六分割する上下方向折り込み線が形成され
１２区画に区画されており、
前記左右方向折り込み線上において上側の左右両端区画間、及び下側の左右両端区画間に挟まれた上側区画と下側区画が接する部分にそれぞれ切込が設けられており、
上側の左右両端の一方の区画または下側の左右両端の一方の区画のいずれか１つの区画のみに、当該１つの区画を囲む４辺のうち左右方向で隣接する区画がない左辺または右辺のいずれか１辺のみから左右方向の外方に向かって糊代フラップが延設され、前記糊代フラップが、前記糊代フラップが延設された区画に左右方向で隣接する区画と接着されており、
下側の左右方向の区画が、糊代フラップ側より第１頁、第１２頁、第１１頁、第１０頁、第９頁、第８頁の順に配置され、上側の左右方向の区画が、糊代フラップ側より第２頁、第３頁、第４頁、第５頁、第６頁、第７頁の順に配置されており、
前記糊代フラップが、前記第１頁の左右方向の外方に向かって延設されており、
第１頁、第２頁、第３頁および第１２頁の左右方向の寸法が同じでその長さをＸ、第４頁、第５頁、第６頁、第７頁、第８頁、第９頁、第１０頁および第１１頁の左右方向の寸法が同じでその長さをＹとしたとき、Ｘ＞Ｙなる関係を満足する
ことを特徴とする冊子状送付物。
【請求項４】
前記糊代フラップには、上下方向に接着部と非接着部が設けられ、前記非接着部が、前記糊代フラップが延設された区画側に位置し上下方向に連通して設けられており、前記非接着部内に前記糊代フラップを左右に分割するジッパーが形成されていることを特徴とする請求項１〜３のいずれか一項に記載の冊子状送付物。
【請求項５】
前記上下方向折り込み線に沿って上下方向のミシン目が形成されており、
前記左右方向折り込み線に沿って左右方向のミシン目が形成されており、
前記上下方向折り込み線と前記用紙の外周との交点を含むその近傍の領域においては、前記上下方向のミシン目が存在せず、
前記左右方向折り込み線と前記用紙の外周との交点を含むその近傍の領域においては、前記左右方向のミシン目が存在せず、
前記上下方向折り込み線と前記切込みとの交点を含むその近傍の領域においては、前記上下方向のミシン目が存在しない、
ことを特徴とする請求項１〜４のいずれか一項に記載の冊子状送付物。
【請求項６】
前記切込が左右両端の上側区画と下側区画が接する部分に設けられた前記左右方向折り込み線側にそれぞれ少し伸びて形成されていることを特徴とする請求項１〜５のいずれか一項に記載の冊子状送付物。
【発明の詳細な説明】
【技術分野】
【０００１】
本発明は、１枚の用紙を折り畳んでなる冊子状送付物に関し、郵送、宅配等にて送付可能な冊子状送付物に関する。
【背景技術】
【０００２】
従来、商品カタログ、パンフレット等と共に顧客への特典情報を綴じ込み、冊子状送付物としてダイレクトメール等に利用することは広く知られている（例えば、特許文献１参照）。特許文献１の冊子状送付物は商品カタログ、パンフレット、特典情報等を冊子とすることにより、デパートや旅行会社、通販会社といった送り手側にとって一度に多くの情報を顧客に提供することができ、一方、冊子を受け取った顧客側にとっては、カタログ、パンフレット、特典情報が散逸することがないので便利なものである。
【０００３】
一方、文面をワープロ印字できる特殊封筒も開示されている（例えば、特許文献２参照）。しかし、特許文献２はワープロ印字できるように展開された状態で販売されるものであり、ワープロ印字後展開された状態から使用者が折り畳み糊付けする構成となっており、一枚の用紙で構成されているが折り畳み糊付けする手作業が必要であり、個人が使用する用途のものであり、大量生産が要求される用途には不向きである。しかも、折り畳まれた封筒を開封しても冊子状にはならないので記載できる情報量が少なく、例えば、会社が多数の個人宛に提供する送付物には適した形態ではない。
【先行技術文献】
【特許文献】
【０００４】
【特許文献１】特開２００８−６６６６号公報
【特許文献２】特開平７−３０９３４７号公報
【発明の概要】
【発明が解決しようとする課題】
【０００５】
そこで本発明は、上記の問題点に鑑みてなされたものであり、多くの情報が提供できる１枚の用紙を折り畳んでなる冊子状送付物を提供することである。
【課題を解決するための手段】
【０００６】
本発明は、上記課題を達成するために、請求項１記載の本発明の冊子状送付物は、１枚の用紙を折り畳んでなる冊子状送付物であって、前記用紙には、前記用紙を上下に二分割する左右方向折り込み線と、前記左右方向折り込み線に交差し、前記用紙を左右に四分割以上の偶数に分割する上下方向折り込み線が形成され８個以上の区画に区画されており、前記左右方向折り込み線上において上側の左右両端区画間、及び下側の左右両端区画間に挟まれた上側区画と下側区画が接する部分にそれぞれ切込が設けられており、上側の左右両端の一方の区画または下側の左右両端の一方の区画のいずれか１つの区画のみに、当該１つの区画を囲む４辺のうち左右方向で隣接する区画がない左辺または右辺のいずれか１辺のみから左右方向の外方に向かって糊代フラップが延設され、前記糊代フラップが、前記糊代フラップが延設された区画に左右方向で隣接する区画と接着されており、前記糊代フラップが延設された区画、前記糊代フラップが延設された区画に左右方向で隣接する区画、前記糊代フラップが延設された区画に上下方向で隣接する区画、および前記糊代フラップが延設された区画に斜め方向で隣接する区画の左右方向の寸法が同じでその長さをＸ、それ以外の区画の左右方向の寸法が同じでその長さをＹとしたとき、Ｘ＞Ｙなる関係を満足することを特徴とするものである。
【０００７】
また、請求項２記載の本発明の冊子状送付物は、１枚の用紙を折り畳んでなる冊子状送付物であって、前記用紙には、前記用紙を上下に二分割する左右方向折り込み線と、前記左右方向折り込み線に交差し、前記用紙を左右に四分割する上下方向折り込み線が形成され８区画に区画されており、前記左右方向折り込み線上において上側の左右両端区画間、及び下側の左右両端区画間に挟まれた上側区画と下側区画が接する部分にそれぞれ切込が設けられており、上側の左右両端の一方の区画または下側の左右両端の一方の区画のいずれか１つの区画のみに、当該１つの区画を囲む４辺のうち左右方向で隣接する区画がない左辺または右辺のいずれか１辺のみから左右方向の外方に向かって糊代フラップが延設され、前記糊代フラップが、前記糊代フラップが延設された区画に左右方向で隣接する区画と接着されており、下側の左右方向の区画が、糊代フラップ側より第１頁、第８頁、第７頁、第６頁の順に配置され、上側の左右方向の区画が、糊代フラップ側より第２頁、第３頁、第４頁、第５頁の順に配置されており、前記糊代フラップが、前記第１頁の左右方向の外方に向かって延設されており、第１頁、第２頁、第３頁および第８頁の左右方向の寸法が同じでその長さをＸ、第４頁、第５頁、第６頁および第７頁の左右方向の寸法が同じでその長さをＹとしたとき、Ｘ＞Ｙなる関係を満足することを特徴とするものである。
【０００８】
また、請求項３記載の本発明の冊子状送付物は、１枚の用紙を折り畳んでなる冊子状送付物であって、前記用紙には、前記用紙を上下に二分割する左右方向折り込み線と、前記左右方向折り込み線に交差し、前記用紙を左右に六分割する上下方向折り込み線が形成され１２区画に区画されており、前記左右方向折り込み線上において上側の左右両端区画間、及び下側の左右両端区画間に挟まれた上側区画と下側区画が接する部分にそれぞれ切込が設けられており、上側の左右両端の一方の区画または下側の左右両端の一方の区画のいずれか１つの区画のみに、当該１つの区画を囲む４辺のうち左右方向で隣接する区画がない左辺または右辺のいずれか１辺のみから左右方向の外方に向かって糊代フラップが延設され、前記糊代フラップが、前記糊代フラップが延設された区画に左右方向で隣接する区画と接着されており、下側の左右方向の区画が、糊代フラップ側より第１頁、第１２頁、第１１頁、第１０頁、第９頁、第８頁の順に配置され、上側の左右方向の区画が、糊代フラップ側より第２頁、第３頁、第４頁、第５頁、第６頁、第７頁の順に配置されており、前記糊代フラップが、前記第１頁の左右方向の外方に向かって延設されており、第１頁、第２頁、第３頁および第１２頁の左右方向の寸法が同じでその長さをＸ、第４頁、第５頁、第６頁、第７頁、第８頁、第９頁、第１０頁および第１１頁の左右方向の寸法が同じでその長さをＹとしたとき、Ｘ＞Ｙなる関係を満足することを特徴とするものである。
【０００９】
また、請求項４記載の本発明は、請求項１〜３のいずれか一項に記載の冊子状送付物において、前記糊代フラップには、上下方向に接着部と非接着部が設けられ、前記非接着部が、前記糊代フラップが延設された区画側に位置し上下方向に連通して設けられており、前記非接着部内に前記糊代フラップを左右に分割するジッパーが形成されていることを特徴とするものである。
【００１０】
また、請求項５記載の本発明は、請求項１〜４のいずれか一項に記載の冊子状送付物において、前記上下方向折り込み線に沿って上下方向のミシン目が形成されており、前記左右方向折り込み線に沿って左右方向のミシン目が形成されており、前記上下方向折り込み線と前記用紙の外周との交点を含むその近傍の領域においては、前記上下方向のミシン目が存在せず、前記左右方向折り込み線と前記用紙の外周との交点を含むその近傍の領域においては、前記左右方向のミシン目が存在せず、前記上下方向折り込み線と前記切込みとの交点を含むその近傍の領域においては、前記上下方向のミシン目が存在しない、ことを特徴とするものである。
【００１１】
また、請求項６記載の本発明は、請求項１〜５のいずれか一項に記載の冊子状送付物において、前記切込が左右両端の上側区画と下側区画が接する部分に設けられた前記左右方向折り込み線側にそれぞれ少し伸びて形成されていることを特徴とするものである。
【発明の効果】
【００１２】
本発明は、１枚の用紙に上下に二分割する左右方向折り込み線と、左右に三分割以上に分割する上下方向折り込み線を形成し、６個以上の区画に区画されており、左右方向折り込み線上に切込が設けられた構成とすることにより、冊子状に折り畳むことができ、上側の左右両端の一方の区画または下側の左右両端区画の一方の区画のいずれかに左右方向の外方に向かって糊代フラップが延設された構成とすることにより、糊代フラップが、糊代フラップが延設された区画に隣接する左右方向の区画と接着され、封緘されるので郵送することが可能である。また、１枚の用紙からなるので例えば、表紙片、裏紙片等の別部品が不要となるので部品コストの削減ができ、別部品との丁合する工程が省略できるので工程の簡略化が可能となり、さらに別部品の管理が不要となるので管理コストの削減が図れる等の効果が得られる。さらに、冊子の頁数の増減も容易であり、目的に応じて適切な情報量が提供できる。また、折り畳んだサイズを小さくコンパクトにできるので郵送コストの削減も可能となる。
【００１３】
また、糊代フラップには、上下方向に接着部と非接着部が設けられ、非接着部が、糊代フラップが延設された区画側に位置し上下方向に連通して設けられており、非接着部内に糊代フラップを左右に分割するジッパーが形成されている構成とすることにより、容易に開封でき、開封された送付物を冊子として閲覧ができる。
【００１４】
また、切込が左右両端の上側区画と下側区画が接する部分に設けられた左右折り込み線側にそれぞれ少し伸びて形成されている構成とすることにより、折り込み易くなると共に折り込まれたときの角部が破れ難くなる効果が得られ耐久性が向上する。
【図面の簡単な説明】
【００１５】
【図１】本発明の冊子状送付物の第一実施形態を示し、（イ）が正面図、（ロ）が背面図、（ハ）がＸ−Ｘ線断面図である。
【図２】本発明の第一実施形態の冊子状送付物を展開した状態で外面から見た平面図である。
【図３】本発明の第一実施形態の冊子状送付物を展開した状態で内面から見た平面図である。
【図４】第一実施形態の冊子状送付物の折り込み方法の一例及び開封状態を示す説明図である。
【図５】本発明の第二実施形態の冊子状送付物を展開した状態で外面から見た平面図である。
【図６】第二実施形態の冊子状送付物の折り込み方法の一例及び開封状態を示す説明図である。
【発明を実施するための形態】
【００１６】
以下、図面を参照しながら本発明の実施形態について、説明する。
図１は本発明の冊子状送付物の第一実施形態を示し、（イ）が正面図、（ロ）が背面図、（ハ）がＸ−Ｘ線断面図、図２は本発明の第一実施形態の冊子状送付物を展開した状態で外面から見た平面図、図３は本発明の第一実施形態の冊子状送付物を展開した状態で内面から見た平面図、図４は第一実施形態の冊子状送付物の折り込み方法の一例及び開封状態を示す説明図、図５は本発明の第二実施形態の冊子状送付物を展開した状態で外面から見た平面図、図６は第二実施形態の冊子状送付物の折り込み方法の一例及び開封状態を示す説明図を示す。図中の１は冊子状送付物、１’は開封された冊子状送付物、２は用紙、３は左右方向折り込み線、４は上下方向折り込み線、５Ｌは上側の左端区画、５Ｒは上側の右端区画、６Ｌは下側の左端区画、６Ｒは下側の右端区画、７は切込、８は糊代フラップ、８１は接着部、８２は非接着部、８３はジッパー、９は送り先、宛名記載部、Ｘは第一実施形態において第１頁、第２頁、第３頁および第８頁の左右方向の長さ、並びに、第二実施形態において第１頁、第２頁、第３頁および第１２頁の左右方向の長さ、Ｙは第一実施形態において第４頁、該５頁、第６頁および第７頁の左右方向の長さ、並びに、第二実施形態において第４頁、第５頁、第６頁、第７頁、第８頁、第９頁、第１０頁および第１１頁の左右方向の長さをそれぞれ示す。
【００１７】
図１は本発明の冊子状送付物の第一実施形態を示し、（イ）が正面図、（ロ）が背面図、（ハ）がＸ−Ｘ線断面図であって、（イ）、（ロ）は外面側から見た平面図である。図１に示すように本発明の冊子状送付物１は、１枚の用紙を折り畳んで構成され、矩形状の外観を有している。図１はダイレクトメールに用いた例を示し、第１頁の外面には受取人である顧客の送り先、宛名記載部９や図示しないが提供する情報等が表示されている。
【００１８】
また、図１（ロ）に示すように冊子状送付物１は第１頁の外方に向かって延設された糊代フラップ８を折り返して第１頁に隣接した第８頁の外面に重ね合わせて接着され、封緘されている。
【００１９】
つぎに図１（ロ）、（ハ）を参照しながら糊代フラップ８について説明する。糊代フラップ８には、外端から上下方向に接着部８１と非接着部８２が順に帯状に設けられ、非接着部８２は第１頁と隣接しており、上下方向に連通して設けられている。非接着部８２内に上下方向に糊代フラップ８を左右に分割するジッパー８３が形成されている。ジッパー８３は左右方向に所定の間隔をあけて２本のミシン目線が上下方向に形成された構成である。なお、ミシン目線は切目と非切目からなり、切目の形状は特に限定されるものではなく、線状、くの字状、Ｚ字状、Ｓ字状等を使用できる。重要なのは、糊代フラップ８の上端または下端に設けられる開封開始部において、切目（カット）が糊代フラップ８の上端縁または下端縁に接続させて形成することである。ジッパー８を形成するミシン目線の左右方向の間隔は非接着部８２内に収まるように適宜設定することができる。糊代フラップ８の外郭は上下の端縁が傾斜した台形状に形成するのが好ましい。
【００２０】
本願明細書において、外面とは図１（イ）、（ロ）に示すように外側から見えている面を指し、外側から見えている面側である用紙の一方の面を表側面と呼び、図１において外側から見えない面側である用紙の他方の面を裏側面と呼ぶこととする。
図２は本発明の第一実施形態の冊子状送付物１を展開した状態で表側面から見た平面図である。図２に示すように第一実施形態の冊子状送付物１は、用紙２を上下に二分割する左右方向折り込み線３と、左右方向折り込み線３に略直交するように交差し、用紙２を左右に四分割する３本の上下方向折り込み線４が形成され、左右方向折り込み線３と上下方向折り込み線４により上下２列、左右４列の８区画に区画された例を示している。
【００２１】
下側の左右方向の区画が、糊代フラップ８側より第１頁、第８頁、第７頁、第６頁の順に配置され、上側の左右方向の区画が、糊代フラップ８側より第２頁、第３頁、第４頁、第５頁の順に配置されており、糊代フラップ８が、第１頁の右方向の外方に向かって延設されており、第１頁、第２頁、第３頁および第８頁の左右方向の長さをＸ、第４頁、該５頁、第６頁および第７頁の左右方向の長さをＹとしたとき、Ｘ＞Ｙなる関係を満足している。左右方向折り込み線３上において上側の左端区画５Ｌ（第５頁）と右端区画５Ｒ（第２頁）間、及び下側の左端区画６Ｌ（第６頁）と右端区画６Ｒ（第１頁）間に挟まれた上側区画（第４頁、第３頁の２区画）と下側区画（第７頁、第８頁の２区画）が接する部分にそれぞれ切込７が設けられている。
【００２２】
切込７は左右方向に連続している。また、切込７の左端は、上側の左端区画５Ｌ（第５頁）と下側の左端区画６Ｌ（第６頁）が接する部分に設けられた左右折り込み線３側に少し伸びて形成されており、切込７の右端は、上側の右端区画５Ｒ（第２頁）と下側の右端区画６Ｒ（第１頁）が接する部分に設けられた左右折り込み線３側に少し伸びて形成されている。つまり切込７の左端は第５頁と第４頁及び第６頁と第７頁とを区画する上下方向折り込み線４を超え少し左端側に伸びており、切込７の右端は第３頁と第２頁及び第８頁と第１頁とを区画する上下方向折り込み線４を超え少し右端側に伸びている。そうすることにより後述する折り込み易くなる効果と折り込まれたときの角部が破れにくいという効果が得られるので好ましい。
【００２３】
図２において用紙２の各区画が折り畳まれて各頁となる面付及び区画数は一例を示すものでこれに限定されるものではない。また、図２に示すように上側の左端より第５、第４、第３、第２頁が順に配置され、下側には左端より順に第６、第７、第８、第１頁が配置され、天部（折り畳んで冊子としたときの上部となる部分をいう。）突合せとなっている。また各頁の左右方向の長さの関係をＸ＞Ｙとすることにより左右方向折り込み線３、上下方向折り込み線４で折り畳んだとき、各頁が重なり送付物の厚さが増加するが、ＸとＹの寸法差があるので増加した各頁の厚さ分をＸとＹの寸法差で吸収することができるので折り皺が発生することもなく綺麗に折り畳める。
【００２４】
また、左右方向折り込み線３及び上下方向折り込み線４は、ミシン目で形成することが好ましい。ただし、左右方向折り込み線３及び上下方向折り込み線４と用紙２の外周との８箇所の交点においてミシン目はアンカットになるようにすることが好ましい。さらに上下方向折り込み線４と切込７との３箇所の交点はアンカットとすることが好ましい。そうすることにより用紙２を折り畳む操作と一枚に広げる操作とを繰り返しても角部から破れることが防げる。前者のアンカット例の拡大図を（イ）の円内に示し、後者のアンカット例の拡大図を（ロ）の円内に示す。なお、図２に示すように折り込み用ミシン目線において、山折りとなる部分を破線で示し、谷折りとなる部分を一点鎖線で示した。
【００２５】
図３は本発明の冊子状送付物１の第一実施形態の用紙２の他方の面の平面図であって、図２に示す用紙２を左右に反転させた状態の裏側面を示す。図３に示すように用紙２の裏側面には、例えば、島めぐりのマップが全面に掲載されている。折り畳むと表側面の各頁が順に重ねられた冊子となり、広げると裏側面の全面に島のマップが広がり一目で一覧できるようになっている。用紙２の表側面の第２頁〜第７頁には図示しないが各頁に島の観光スポット、お食事処、宿、土産物等の情報やクーポン券等の特典情報が掲載され折り畳まれると外部からは見えない構成となっている。第１頁及び第８頁は冊子状送付物１の外面になり、第１頁には送り先、宛名記載部９が設けられ、第８頁には図示しないが送り主の会社名やオープン情報等が記載されている。
【００２６】
図４は第一実施形態の冊子状送付物１の折り込み方法の一例及び開封状態を示す説明図である。図４（イ）に示すように用紙２を上下方向折り込み線４で谷折り（一点鎖線で示す。）、山折り（破線で示す。）し、第５〜第３頁、第６〜８頁を折り重ねる。つぎに左右方向折り込み線３で山折りし、第１頁を第２頁に折り重ね、折り重ねられた第８〜第６頁の第６頁を折り重ねられた第３〜第５頁の第５頁に折り重ね図４（ロ）の状態にする。つぎに重ねられた上下方向折り込み線４を回転軸として回動して折り曲げ折り重ねられた第１、第２頁の第２頁と折り重ねられた第３〜第８頁の第３頁とを重ねて折り畳み、最後に糊代フラップ８を山折りし、第８頁の外面に重ねて接着部８１で糊付けして接着されることにより操作が完了となり、図４（ハ）に示す８頁からなる冊子状送付物１が形成される。
【００２７】
本発明の冊子状送付物１は大きさや頁数は特に限定されるものではなく、また、郵便メール、宅配メール等に限定されるものではないが、折り畳まれた冊子状送付物１が郵便法で定める第一種郵便物であり、日本郵便株式会社で規定する定形郵便物として送付可能であることが好ましい形態である。郵便の場合には、図示していないが用紙２の第１頁に郵便書簡として所定の料金額を示す所定のマークが印刷されたり、重量や外形寸法に応じて定められる所定の料金額の切手が貼られたりする。完成した冊子状送付物１は郵便、宅配、ポスティング等により顧客に届けられる。
【００２８】
冊子状送付物１を受け取った顧客は、図４（ハ）に示すように開封開始部よりジッパー８３の端部を摘みジッパー８３を引っ張ると所定の間隔をあけて上下方向に形成された２本のミシン目線に沿って用紙２を引き破ることができ、開封できる。図４（ニ）は開封された状態の冊子状送付物１’を示しており、丸数字で示した第２頁、第４頁、第５頁、第７頁が見えている。冊子状送付物１’の各頁に記載された送り手側が顧客に提供したい情報等を閲覧した後、広げると用紙２の裏側面には一面に記載された例えば、島のマップ等の特典情報等がパノラマ状に広がり（図３参照）見やすく、また左右方向折り込み線３、上下方向折り込み線４により折り畳むとコンパクトになり携帯に便利である。
【００２９】
図５は本発明の第二実施形態の冊子状送付物１を展開した状態で表側面から見た平面図である。図５に示すように第二実施形態の冊子状送付１は、用紙２を上下に二分割する左右方向折り込み線３と、左右方向折り込み線３に略直交するように交差し、用紙２を左右に六分割する５本の上下方向折り込み線４が形成され、左右方向折り込み線３と上下方向折り込み線４により上下２列、左右６列の１２区画に区画された例を示している。
【００３０】
下側の左右方向の区画が、糊代フラップ８側より第１頁、第１２頁、第１１頁、第１０頁、第９頁、第８頁の順に配置され、上側の左右方向の区画が、糊代フラップ８側より第２頁、第３頁、第４頁、第５頁、第６頁、第７頁の順に配置されており、糊代フラップ８が、第１頁の右方向の外方に向かって延設されており、第１頁、第２頁、第３頁および第１２頁の左右方向の長さをＸ、第４頁、第５頁、第６頁、第７頁、第８頁、第９頁、第１０頁および第１１頁の左右方向の長さをＹとしたとき、Ｘ＞Ｙなる関係を満足している。
【００３１】
切込７は左右方向に連続している。また、切込７の左端は、上側の左端区画５Ｌ（第７頁）と下側の左端区画６Ｌ（第８頁）が接する部分に設けられた左右折り込み線３側に少し伸びて形成されており、切込７の右端は、上側の右端区画５Ｒ（第２頁）と下側の右端区画６Ｒ（第１頁）が接する部分に設けられた左右折り込み線３側に少し伸びて形成されている。つまり切込７の左端は第７頁と第６頁及び第８頁と第９頁とを区画する上下方向折り込み線４を超え少し左端側に伸びており、切込７の右端は第３頁と第２頁及び第１２頁と第１頁とを区画する上下方向折り込み線４を超え少し右端側に伸びている。第二実施形態の冊子状送付物は左右に六分割された点で左右に四分割された第一実施形態の冊子状送付物と構成が異なるだけでその他については第一実施形態と同様であり同じ符号を付して説明を省略する。
【００３２】
図６は第二実施形態の冊子状送付物の折り込み方法の一例及び開封状態を示す説明図である。図６（イ）に示すように用紙２を上下方向折り込み線４で谷折り（一点鎖線で示す。）、上下方向折り込み線４で山折り（破線で示す。）し、第３頁〜第７頁、第１２頁〜第８頁を折り重ねる。つぎに左右方向折り込み線３、３で山折りし、第１頁を第２頁に折り重ね、折り重ねられた第１２頁〜第８頁の第７頁側を折り重ねられた第３頁〜第７頁の第７頁側に折り重ね図６（ロ）の状態にする。
つぎに重ねられた上下方向折り込み線４を回転軸として回動して折り曲げ折り重ねられた第１頁と第２頁側の第２頁と、折り重ねられた第３頁〜第１２頁側の第３頁と、を重ねて折り畳み、最後に糊代フラップ８を山折りし、第１２頁の外面に重ねて接着部８１で糊付けして接着されることにより操作が完了となり、図６（ハ）に示す１２頁からなる冊子状送付物１が形成される。なお、図６（ロ）に示された白抜き数字は第１頁、第８頁の用紙２の裏側面を示している。
【００３３】
冊子状送付物の開封方法は、図６（ハ）に示すように開封開始部よりジッパー８３の端部を摘みジッパー８３を引っ張ると所定の間隔をあけて上下方向に形成された２本のミシン目線に沿って用紙２を引き破ることができ、開封できる。図６（ニ）は開封された状態の冊子状送付物１’を示しており、丸数字で示した第２頁、第４頁、第６頁、第７頁、第９頁、第１１頁が見えている。その他は第一実施形態と同じである。
【実施例】
【００３４】
〔実施例１〕
用紙２に坪量９０ｋｇ／四六判（１０４．７ｇ／ｍ2 ）の上質紙を用い、展開された大きさがＡ３サイズの１枚の用紙を折り畳んで上下寸法１４８．５ｍｍ、左右寸法９７ｍｍの図１に示す冊子状送付物１を作製した。
１枚の展開された用紙２には左右折り込み線３、上下折り込み線４、切込７を設け、８区画とし、各区画には図２に示すように各頁を割り付けし、第１頁、第２頁、第３頁、第８頁の左右寸法は９７ｍｍとし、第４頁〜第７頁の左右寸法は９３ｍｍとし、糊代フラップ８の左右寸法は４０ｍｍとして第１頁に隣接して設けた。左右折り込み線３、上下折り込み線４はカット１ｍｍ、アンカット１ｍｍのミシン目線とした。糊代フラップ８にはアンカット０．５ｍｍ、カット２ｍｍのミシン目線が２本からなるジッパー９を形成した。ジッパー９の開封開始部を糊代フラップ８の上端とし、糊代フラップ８の上端縁にカット（切目）を接続させて形成した。上記用紙２を左右折り込み線３、上下折り込み線４で折り畳み、糊代フラップ８の接着部８１を第８頁の外面に糊付けして封緘した。
【００３５】
実施例１で作製した冊子状送付物１のジッパー８３の上端の開封開始部を摘み、２本のミシン目線に沿ってジッパー８３を切り離し取り除くと冊子となり、各頁を捲りながら閲覧をすることができた。また、開封された冊子状送付物を広げると１枚の用紙となり、裏側面に記載された内容を読み取ることができた。さらに左右折り込み線３、上下折り込み線４により折り畳む動作と１枚に広げる動作を繰り返したが冊子に折り皺が発生することなく綺麗に折り畳め、また、角部も破れることもなかった。
【符号の説明】
【００３６】
１                  冊子状送付物
１’                開封された冊子状送付物
２                  用紙
３                  左右方向折り込み線
４                  上下方向折り込み線
５Ｌ                上側の左端区画
５Ｒ                上側の右端区画
６Ｌ                下側の左端区画
６Ｒ                下側の右端区画
７                  切込
８                  糊代フラップ
８１                接着部
８２                非接着部
８３                ジッパー
９                  送り先、宛名記載部
Ｘ                  第一実施形態において第１頁、第２頁、第３頁
および第８頁の左右方向の長さ
Ｙ                  第一実施形態において第４頁、該５頁、第６頁
および第７頁の左右方向の長さ
Ｘ                  第二実施形態において第１頁、第２頁、第３頁
および第１２頁の左右方向の長さ
Ｙ                  第二実施形態において第４頁、第５頁、第６頁、第７頁、
第８頁、第９頁、第１０頁および第１１頁の左右方向の長さ
【図１】
0006610029.tif 000002
【図２】
0006610029.tif 000003
【図３】
0006610029.tif 000004
【図４】
0006610029.tif 000005
【図５】
0006610029.tif 000006
【図６】
0006610029.tif 000007